(57)【要約】【課題】  面ファスナー付パンツの面ファスナー部の接合法を変え、ズボンなどの下衣をはいたままのパンツの着脱を簡便にし、固定性を向上させやすくし、使用対象者を広げる。【解決手段】  前みごろをコンパクトにすることで足の間が通しやすく後みごろが長いことで体の前面に引き寄せやすい形状を有するパンツ。後みごろの面ファスナーを下腹部前面でハの字または逆Ｖの字に接合する事によって面ファスナー部が腰に押し付けられ刺激を受けたり、面ファスナー部が体の下に巻き込まれることによって交換が困難になるといった状況を回避する。組み立てを体の前面で安定して行える事で組み立てを簡便にする。また、左右の上部接合部を固定具で固定することも可能にし、組み立ての方法を増やすとともにパットのみの交換も可能にする。【選択図】図１
2012011169.tif 000002
【特許請求の範囲】
【請求項１】
左右に延設して拡翼状に横長形成し背中から腹部に巻回できるように後みごろを構成し、該後みごろの中央から垂設される縦方向の帯状部を介して先端が矢印のように先細にした山形状の前みごろを設けて、前みごろに後みごろの両側部を重ねて着脱できるようにしたパンツにおいて、該パンツの前みごろ及び後みごろの両側に面ファスナーを配設して身体の前面でハの字型または逆Ｖの字型に接合できる構成にすると共に、前みごろを剥離した状態において後みごろの左右拡翼部を腹部前面位置で接続固定できる繋ぎ部材を設けたことを特徴とするパンツ。
【請求項２】
身体の前面でハの字型または逆Ｖの字型に接合した事で近接または重なった後みごろからなる背部部材上部位置に繋ぎ部材としての固定具を有し、腹部周囲の上部位置を固定したまま、前みごろの前面を外すことで帯状部に配置の併用するパット類のみの交換もできることを特徴とする請求項１に記載のパンツ。
【請求項３】
吸収体もしくは撥水体を有し尿・血液等の汚染に対応する素材を有するもので構成したことを特徴とする請求項１又は２に記載のパンツ。
【請求項４】
前みごろを後ろみごろよりも小さくし、前身ごろの先端を尻部を迂回する縦方向の帯状部Ｔに連設されて亀頭状の矢印のような先細形に構成される山形状の逆ハの字または逆Ｖの字に細くすることで、足の間を通過させやすく体の前面での安定した組み立てを可能にした形状の請求項１〜３のいずれかに記載のパンツ。
【請求項５】
後ろみごろが拡翼状に横長く、身体の背面からの面ファスナーの送り込み或いは引き寄せがしやすく、伸縮性素材部の長さを確保した形状の請求項１〜４のいずれかに記載のパンツ。
【請求項６】
面ファスナー接合部を身体の前面側に位置するように配設移動し、腰周りの不快感を減じた請求項１〜５のいずれかに記載のパンツ。
【請求項７】
前みごろと後ろみごろそれぞれの面ファスナーを腹側と外側逆にすることで前面を外側にして接合できる請求項１〜６のいずれかに記載の形状のパンツ
【請求項８】
面ファスナー以外の固定具を有し安定性を向上させて接合できる請求項１〜７のいずれかに記載のパンツ
【請求項９】
身体の前面でハの字型または逆Ｖの字型に接合した事で近接または重なった後みごろからなる背部部材上部に長さを調整できる固定具を有し、腹周りの幅を調整できるようにした請求項１〜８いずれかに記載のパンツ。
【請求項１０】
面ファスナーの幅を広げ、組み立て後の大きさを調整できるようにした、請求項１〜９いずれかに記載のパンツ。
【請求項１１】
骨盤を締めるベルトを配置した、請求項１〜１０いずれかに記載のパンツ。
【発明の詳細な説明】
【技術分野】
【０００１】  本発明は身体の前面側を開放および被覆自在にした面ファスナー付パンツの前覆い部材の面ファスナー部を身体の前面側に位置するように配設し、該面ファスナー部を設けた前覆い部材の形状を前面視ハの字型もしくは逆Ｖ字型に形成して接合することによって、前覆い部材を面ファスナーにより組み立て、分離を簡便にし、且つ、前覆い部材を外した状態においても腰周りや腹周りを固定できる繋ぎ部材を設けることにより、ズボンなどの下衣を脱がなくても、はきやすく脱ぎやすく安定した組み立てが可能なパンツに関するものである。
【背景技術】
【０００２】  ズボンなどの下衣を脱がずに交換できるパンツは例えば特許文献１、２のように提案されている。また、本発明の請求項が求める形状で面ファスナーを有するパンツ型おむつとしては本特許出願人の発明者により特許文献３のように提案されている。
【先行技術文献】
【特許文献】
【０００３】
【特許文献１】特開２００９−１９１３７１号
【特許文献２】特開２００６−１５２５２２号
【特許文献３】実用新案登録第３１１３９６９号
【発明の概要】
【発明が解決しようとする課題】
【０００４】  特許文献１に示される形状は使用者が男性に限られ、また使用法が複雑である。特許文献２に示される形状は前面にも伸縮性を有するものが必要であり組み立て時に安定せず、また背部からの接合部が近接していないため腹部周囲の固定具での固定ができないおそれがある。更に接合部が体の側面近くにあるため組み立ては体を捻った状態で行う必要があり、側臥位においては面ファスナーが体に押し付けられて不快感を伴うものである。また特許文献３はおむつに限られパンツタイプのものではないため使用者が限定されている。
一般的に着衣使用者に対して介護者が手伝ってのズボンなどの下衣の着脱が困難な場合、パンツ汚染時の交換が困難である。本発明は下衣を脱ぐことなく着脱する事ができるようにした下着としてのパンツで、分解組み立てを容易にしたものでありながら、殊に、前覆い部材を外した状態においても腰周りや腹周りを固定できる繋ぎ部材を設けることにより、より使用法が簡便で他の部材による固定性の向上も図りやすく安定した組み立てが可能な形状のものを提案する。
【課題を解決するための手段】
【０００５】  本発明は、拡翼状に横長形成した後みごろから、縦方向の帯状部を介して山形状の前みごろを設けて、前みごろに後みごろの両側部を重ねてパンツのように着脱できるようにしたパンツにおいて、該オムツの前みごろ及び後みごろの両側に面ファスナーを配設して前開きも可能にした形状のパンツで、面ファスナーを身体の前面でハの字型または逆Ｖの字型に接合できる構成にすると共に、前みごろを剥離した状態において後みごろの左右拡翼部を腹部前面位置で接続固定できる繋ぎ部材を設けるようにした。
【発明の効果】
【０００６】  第一に、パンツの前みごろが後みごろより小さく、足の間を通す際には前みごろの先部が尻部を迂回する縦方向の帯状部に連設されて亀頭状の矢印のような先細形になっているため、座位・臥位いずれの場合にも前みごろを足の間を通しやすい。前みごろを剥離した状態において後みごろの左右拡翼部を腹部前面位置で接続固定できる繋ぎ部材を設けるようにしてあるので介護作業がしやすいものである。
第二に、パンツの後みごろの面積が確保されることによって、座位・側臥位いずれの場合にも後みごろの面ファスナーが前面へ引き寄せしやすく組み立てしやすい。【０００７】  第三に、パンツの後みごろの幅を左右横方向に長くすることで伸縮性を後みごろのみで確保することができ、前みごろは吸水性素材と面ファスナーの非伸縮性素材のみとすることで前みごろの面ファスナー部の動揺を減じ、組み立てやすい。
第四に、体の前面で組み立てをする事によって体幹を捻らずに接合できるため組み立てやすい。【０００８】  第五に、パンツの面ファスナー接合部が前面にあることで腰部のごわつきが解消された。
第六に、パンツの面ファスナー部が体の前面にくることによって、側臥位になった際に体に面ファスナーが押し付けられる不快感を回避した。【０００９】  第七に、組み立て後の面ファスナーの上部が近接または重なる事で、固定具での安定性の向上を図りやすくした。【００１０】  第八に、ハの字型または逆Ｖの字型に接合した事で、近接または重ねた背面上部に固定具を配設し、背面上部を体の前面で固定したまま、前面部材を外すことで併用するパット類のみの交換も可能である。
【図面の簡単な説明】
【００１１】
【図１】本発明に係るパンツを組み立てた状態の装着形状を示した正面図である。
【図２】本発明に係るパンツの前部を開放し繋ぎ部材で接続した形状を示した正面図である。
【図３】本発明に係るパンツを分解した状態の展開形状を示した平面図である。
【図４】使用者が座位姿勢の時のパンツ装着動作の作用説明図である。
【図５】使用者が臥床姿勢の時のパンツ装着動作の作用説明図である。
【図６】使用者が前面上部を固定したまま、パットのみ交換時の作用説明図である。
【図７】産褥ショーツとして使用する応用状態の装着形状を示した正面図である。
【図８】ボタンを設けた別の実施形態のパンツの装着形状を示した正面図である。
【図９】ボタンを設けた別の実施形態のパンツの展開形状を示した平面図である。
【発明を実施するための形態】
【００１２】  以下、本発明のパンツの実施形態を図面に基づいて詳細に説明する。
図１〜図２の図面に示すように、パンツＰの前覆い部材となる前みごろの両側に設けた面ファスナー雌部（１）、（１）が前面視ハの字型もしくは逆Ｖ字型に形成して斜めになっていることで面ファスナー雌部（１）、（１）を長く確保でき、面ファスナーの接合面積を多くすることができて歩行等の体動に耐えうる構造になっている。身体の背面に位置され伸縮性素材で構成される後みごろ（２）はお尻部分を覆うもので、左右方向に横長状で体の前面（下腹部前面）まで回りこむ長さの拡翼形状になっており、且つ図３の展開平面視に示すように、後みごろ（２）の上部が下方に窪む凹曲状に湾曲形成（２Ａ）されてあり、装着者（着衣使用者）の装着姿勢が座位の際には、該後みごろ（２）の両側拡翼部（２Ｂ）を前面への引き寄せがしやすく、側臥位の際には腰の下から両側拡翼部（２Ｂ）を前面に送り込みやすいようにしてある。
【００１３】  上記後みごろ（２）の両側に位置する左右拡翼部（２Ｂ）の各翼端部（２Ｃ）に面ファスナー雄部（３）を設ける。該面ファスナー雄部（３）を後みごろ（２）を展開したときに背面となるように各翼端部（２Ｃ）の背面に付けることで面ファスナー雄部（３）がズボンなどの下衣への不測な接着を回避することによりパンツおよびズボンなどの着衣着脱作業を容易にした。そして、後みごろ（２）から前みごろ（５）に至る縦方向の帯状部Ｔに必要に応じて失禁漏れ防止用の水分吸収素材が内装セットするようにされており、該帯状部Ｔの両側の足回り（４）は帯状部Ｔの中央に窪む形態の湾曲部（４Ａ）で内方に湾曲させて帯状部Ｔを細幅にくびれた形状にして装着者の股部に抵抗感なく位置でき、更に帯状部Ｔ並びに足回り（４）も伸縮性の素材を使用し、尿漏れを防ぐと共に装着感の向上を図った。前覆い部材となる前みごろ（５）が下腹部前面を覆う程度の大きさで帯状部Ｔへの連接基端部に比して先端部を幅狭にした山形状の逆ハの字型もしくは逆Ｖ字型になっていることで、股部や足の間を通しやすくなっている。すなわち、前みごろ（５）は尻部から股部を迂回する縦方向の帯状部Ｔに連設されて伸縮性の少ない素材で亀頭状の台形形態で先細形に構成されている。前みごろ（５）の素材も伸縮性に富んだもので構成されており面ファスナー雌部（１）の面ファスナーの接合が容易で確実で接合面の動揺は少ない。面ファスナー雌部（１）及び面ファスナー雄部（３）は体の前面（下腹部前面）で接合し、側臥位の際にも腰に当たらず、中心から両側に向けて着脱するため、装着者の装着姿勢が座位・臥位時共に着脱しやすい。
【００１４】  このように、面ファスナー付パンツ（Ｐ）の面ファスナー雌部（凹部）（１）を前面の前みごろ（５）に配置し、後みごろ（２）の両側に面ファスナー雄部（凸部）（３）を形成し、前みごろ（５）の上に後みごろ（２）を重合させた状態で、後みごろ（２）をハの字型もしくは逆Ｖ字型に接合することによって面ファスナーによる接合、組み立てを簡便にし、はきやすく脱ぎやすいパンツ、また、逆山形状の前みごろ（５）が拡翼形状の後みごろ（２）より小さく、足の間を通す際には前みごろ（５）の先部が亀頭状の台形形態で先細形になっているため足の間を通しやすい。
【００１５】  また、後みごろ（２）の横幅を下腹部の前面に巻回するくらいに長くすることで、伸縮性を両側拡翼部（２Ｂ）を含む後みごろ（２）で確保しておき、併せて帯状部Ｔと前みごろ（５）は伸縮性素材で構成し、面ファスナーの部分のみを非伸縮性素材とすることで前みごろの面ファスナー部の動揺を減じ、組み立てやすい構成を現出している。これらの総合的な構成により、面ファスナー部を体の前面中心からハの字型に沿って両側に向けてはずすことができる。
本実施形態で説明される、これらの構成は、図１〜３に見られるように左右対称に構成されているもので介護作業の操作がしやすいものである。
【００１６】  さらに、背面上部を体の前面で面ファスー付きのフック等の繋ぎ部材（６）で固定し、その他の面ファスナー（１）、（３）を離脱する事で腰周りおよび腹部周辺は固定したまま併用するパット類の交換ができる。面ファスー付きのフック等の繋ぎ部材（６）を採用することにより腹囲サイズに応じて任意に止め長さを調節できる利点がある。
本発明の特徴とする点はこのように面ファスナー付パンツＰの後みごろ（２）を体の背面から腹部前面に回して、伸縮性素材から構成される後みごろ（２）の左右両側の上部箇所を体の前面でフック等の繋ぎ部材（６）を面ファスー（６Ａ）に接続させて固定することができることにあり、これにより本発明の面ファスナー付パンツは上部のみを筒型にして裾部は開放させたスカート状形態に構成することができて、面ファスナー付パンツＰを伸縮性素材の特性を活用しながら任意に腰周り、腹部周りに上下にスライド移動させることが可能となり、例えば帯状部Ｔの内側に配置した水分吸収素材からなるパット類の交換が容易にできるものである。
図８、図９に示すものは、繋ぎ部材（６）としてボタン止めを採用したタイプのものであり、繋ぎ部材（６）の固定が安定する利点がある。
このように、本発明のパンツは分解組み立てを容易にしたものでありながら、殊に、前覆い部材となる前みごろを外した状態においても腰周りおよび腹部周辺を固定できる繋ぎ部材を設けることにより、後みごろの両側拡翼部の接合を簡便に安定的に行うことができると共に、着衣着脱作業や上記パット類の交換作業を容易にできるものである。
また、後みごろからなる背部部材上部に繋ぎ部材としての固定具を有するので、後みごろの最上部付近を固定することとなって、筒型に形成した姿勢が張りよく安定して介護作業がしやすい利点が生じるものである。
【実施例】
【００１７】  本発明のパンツＰ着用者または要介助者がトイレに座った時などの座位姿勢の際に、本発明のパンツＰ内に汚染を発見したら、介護者は、面ファスナー雌部（１）に接続されている面ファスナー雄部（３）を剥がして面ファスナー接合を解除して汚染したパンツＰを外す。図４に示すように足の間から別途交換品の新しい本発明のパンツＰの前みごろ（５）を引き出し太腿の上に置く（図４（イ）に示す矢印（７）の作用図示を参照）。この時、前みごろ（５）両側の面ファスナー雌部（１）は身体と反対側の外側に位置しているので太腿に当たらないので肌を傷めない。そして、後みごろ（２）の面ファスナー雄部（３）を太腿の外側から引き上げるように引き寄せ、前みごろ（５）の上に後みごろ（２）を重合させた状態で、片方づつ面ファスナー雌部（１）と接合する（図４（ロ）に示す矢印（８）の作用図示を参照）。要介助者に立位になって頂いたら、点線図示の如く従来パンツのように本発明のパンツＰを腰まで引き上げることで交換ができる（図４（ハ）に示す矢印（９）の作用図示を参照）。この座位姿勢の際の作用説明は、特許文献３に示される形態の従来のもので説明されているが、本発明においては、後ろみごろの両側の拡翼部を繋ぎ部材で固定する形態にして介護作業をし、前みごろを後ろみごろに重ねる形態とするものであり、図１に示された前みごろを後ろみごろに重ねる形態にすると、従来パンツのように本発明のパンツＰを腰まで引き上げることで交換ができるものである。
この構成の使用例としては、後述する、図８、図９に見られるものを用いた図６の図例から類推することができるものである。【００１８】  臥床している使用者が失禁していた場合、面ファスナー（１）、（３）を解除し、要介助者に側臥位をとって頂き、背中側から汚染したパンツＰを除去する。別途交換品の新しいパンツＰの後みごろ（２）、面ファスナー雄部（３）を体の下から送り込み（図５に示す矢印（１０）の作用図示を参照）、仰臥位になって頂く。足の間から、前みごろ（５）を引き出し（図５に示す矢印（１１）の作用図示を参照）、面ファスナー（１）、（３）を接合することによって交換ができる。
この臥床姿勢の際の作用説明は、特許文献３に示される形態の従来のもので説明されているが、本発明においては、後ろみごろの両側の拡翼部を繋ぎ部材で固定する形態にして介護作業をし、前みごろを後ろみごろに重ねる形態とするものであり、図１に示された前みごろを後ろみごろに重ねる形態にするものである。【００１９】  水分吸収材、パット等の別部材のあてものと併用している場合、ホック、クリップ、ボタン等で面ファスナー後ろみごろ接合部の上部（６）を固定し、それ以下の面ファスナー（１）、（３）部のみ外す事でパットのみの交換ができる。この際［請求項７］のように前みごろと後ろみごろそれぞれの面ファスナーを腹側と外側逆にすることで前面を外側にして接合できるようにしておくと、後ろみごろを接合したままの前みごろの脱着が容易である。【００２０】  産褥ショーツとして使用する際、図７に示すように、本発明のパンツＰの後ろ身頃に骨盤を締める為のベルト（１３）を配置し産後の骨盤の安定を図る事もできる。【００２１】  また背面部材の上部を固定具（繋ぎ部材）で固定した場合の固定具に、面ファスー付きのフック等の構成で長さを持たせる事でウエスト周囲の調整をする事もできる。
【産業上の利用可能性】
【００２２】  本発明の「パンツ」は要介護者用・成人用だけでなく、産婦・褥婦・乳幼児用・子供用としても応用できる。また、着物着用時、スケート、登山など靴や下衣の脱着が困難な場合全般に使用できる。前みごろ・後みごろ共に吸収体部分を広げる事で汚染を防ぐ構造に改良もできる。面ファスナー部に耳部材をつけておくことで、面ファスナーが耳部材で被覆されて直接肌に当たらないようにし、且つ耳部材を引っ張ることにより面ファスナーの取り外しを容易にできる。前面にも伸縮性を持たせてより多くの体格に対応できるようにしてもよい。面ファスナーに幅をもたせることもできる。【００２３】  面ファスナーに幅をもたせた場合腰に背面からの面ファスナーが当たるよりも、手に前面の面ファスナーが当たることが多くなるため雄部と雌部を入れ替える事もできる。接合部を腹側と外側を逆にすることで前面を外側にして接合する事もできる。
更に柄、飾り等で通常のパンツに近づける事で失禁用パンツ等に抵抗がある場合も使用しやすくすることができる。【００２４】      面ファスナー以外の固定具、ホック、クリップ、ファスナー、ボタン等を用いてより接合を安定させる。
面ファスナー部を数本に分けたり短くしたりすることによって、より安価にする。漏れを防ぐため足回りの狭いものもつくる。吸収体だけでなく撥水体を有する事で生理用ショーツ、産褥ショーツとして使用することもできる。【００２５】    パンツを形成する材質は、吸収体もしくは撥水体を有し尿・血液等の汚染に対応する素材を有するもので構成されるも、紙、布、吸湿素材、撥水素材等材質やその組み合わせを用途に合わせて変更することができる。別途交換品類と併用する際に取り付けやすくするポケット等の部材を配設する事もできる。【００２６】    パンツの前身ごろ等に取っ手等掴みやすい部材を配設し、片麻痺等で片手の機能が制限される場合でも更に組み立てが安定するようにする事もできる。また、体に粘着する部材を設ける事で片手での交換を容易にするようにすることもできる。【００２７】    男性用パンツの形状に近付けるため前身ごろを二重にして、形成する事もできる。【００２８】  パンツの前身ごろを妊娠時の体型に合わせて長くしたり、尿漏れ防止のためにギャザーを設けることもできる。以上のような応用が可能であり限定された用途、対象に絞られるものではない。
【符号の説明】
【００２９】１  面ファスナー雌部
２  後みごろ（背面伸縮性素材部）
３  面ファスナー雄部
４  足回り伸縮性素材部
５  前みごろ
６  背面部材の上部を固定具で固定した場合の固定具
７  座位時に前みごろを足の間に通す動作
８  座位時に面ファスナー雌部を大腿の外側から引き寄せる動作
９  「パンツ」組み立て後、腰の位置まで引き上げる動作
１０  臥位時に面ファスナー雌部を腰の下から送り込む動作
１１  臥位時に前身ごろを足の間から引き出す動作
１２  背部部材の上部を固定したままパット類の交換をする動作
１３  産褥ショーツとして利用する際に配置する、骨盤を締めるベルト
【図１】
2012011169.tif 000003
【図２】
2012011169.tif 000004
【図３】
2012011169.tif 000005
【図４】
2012011169.tif 000006
【図５】
2012011169.tif 000007
【図６】
2012011169.tif 000008
【図７】
2012011169.tif 000009
【図８】
2012011169.tif 000010
【図９】
2012011169.tif 000011